(57)【要約】【目的】  特別な操作をすることなしに視聴開始と同時に現在選局している放送の番組に変更が生じているのかどうかをユーザに知らせることができるディジタル放送受信装置を提供する。【構成】  ＣＰＵ２０９は、例えば、本体キー２１４のなかのＴＶＯＮキーが操作されたときに放送受信処理を開始する。ＣＰＵ２０９は、受信を開始して得られた最新の番組情報と既にメモリに保持していた当該選局放送の現在時刻にあたる番組情報とに相違が在るかどうかを比較する。この比較により、現在受信番組が時間通りに放送されているのか、それとも繰り上げ又は繰り下げが生じたのかを判断できる。ＣＰＵ２０９は、現在放送されている番組は時間通りに放送されているのではないと判断したとき、グラフィックスコントローラ２０５にＯＳＤ処理を行わせ、ＬＣＤパネル２０２の画面余部に、例えば「繰下有り」といった文字メッセージを表示させる。【選択図】      図１
2005318059.tif 000002
【特許請求の範囲】
【請求項１】
ディジタル放送を受信してディスプレイに映像表示を行うディジタル放送受信装置において、選局放送の受信を開始して得られた番組情報と既にメモリに保持していた当該選局放送の現在時刻にあたる番組情報とに相違が在るかどうかを判断する判断手段と、相違が在ると判定された場合に番組配列の変更を意味するメッセージを出力する出力手段と、を備えたことを特徴とするディジタル放送受信装置。
【請求項２】
請求項１に記載のディジタル放送受信装置において、前記出力手段は前記ディスプレイに文字メッセージを表示することを特徴とするディジタル放送受信装置。
【請求項３】
請求項２に記載のディジタル放送受信装置において、前記ディスプレイの一部を用いて受信映像を表示し、余部に前記文字メッセージを表示することを特徴とするディジタル放送受信装置。
【請求項４】
請求項１乃至請求項３のいずれかに記載のディジタル放送受信装置において、発光部を備え、前記出力手段は前記メッセージとして前記発光部を点灯又は明滅させることを特徴とするディジタル放送受信装置。
【請求項５】
請求項１乃至請求項４のいずれかに記載のディジタル放送受信装置において、番組配列の変更が番組の繰り下げである場合に、繰り下げ時刻を予約時刻としてタイマー予約を行うように構成されたことを特徴とするディジタル放送受信装置。
【請求項６】
請求項１乃至請求項５のいずれかに記載のディジタル放送受信装置において、可搬性のある移動端末として構成されたことを特徴とするディジタル放送受信装置。
【請求項７】
請求項１乃至請求項５のいずれかに記載のディジタル放送受信装置において、電話機能部を備える携帯電話として構成されたことを特徴とするディジタル放送受信装置。
【発明の詳細な説明】
【技術分野】
【０００１】
この発明は、ディジタル放送を受信するディジタル放送受信装置に関する。
【背景技術】
【０００２】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力することができる。このようなディジタル放送では、従来のアナログ放送と同様に映像や音声を送信することに加え、番組情報も送信している。この番組情報は、番組名、番組開始時刻、番組継続時刻、番組内容などの各種情報を含んでおり、受信装置側ではＯＳＤ（オンスクリーンディスプレイ）機能を用いた電子番組ガイド（Ｅｌｅｃｔｒｏｎｉｃ  Ｐｒｏｇｒａｍ  Ｇｕｉｄｅ）画面表示によって、多チャンネル放送のなかからユーザが望む番組を選択することができる。また、近年においては、ディジタルテレビ放送を携帯電話などの移動端末で視聴することが可能になっている（特許文献１，特許文献２，特許文献３参照）。
【特許文献１】特開平０９−２７５５３１号公報
【特許文献２】特開２００１−２３０９８２号公報
【特許文献３】特開２００３−２５０１０３号公報
【発明の開示】
【発明が解決しようとする課題】
【０００３】
ところで、視聴予定の番組を視聴するために或る時刻において移動端末の電源をＯＮして放送の受信処理を行わせることがある。このような場合、移動端末のディスプレイに映像が表示されたとき、その映像が例えばコマーシャルであった場合などには、所望の番組の放送状態なのかどうかの判断ができず、コマーシャルが終了した後やテロップが表示されたときに、例えば野球放送が延長されていたことが分かる場合がある。また、移動端末では、ＥＰＧ情報も少なく、わざわざＥＰＧ画面を見るまでもないのに、番組情報を知るために何らかの操作をしなければならないのは不便である。
【０００４】
この発明は、上記事情に鑑み、特別な操作をすることなしに視聴開始と同時に現在選局している放送の番組に変更が生じているのかどうかをユーザに知らせることができるディジタル放送受信装置を提供することを目的とする。
【課題を解決するための手段】
【０００５】
この発明の移動端末は、上記の課題を解決するために、ディジタル放送を受信してディスプレイに映像表示を行うディジタル放送受信装置において、選局放送の受信を開始して得られた番組情報と既にメモリに保持していた当該選局放送の現在時刻にあたる番組情報とに相違が在るかどうかを判断する判断手段と、相違が在ると判定された場合に番組配列の変更を意味するメッセージを出力する出力手段と、を備えたことを特徴とする。
【０００６】
上記の構成であれば、ユーザは特別な操作をすることなしに視聴開始と同時に現在選局している放送の番組に変更が生じているのかどうかを知ることが可能になる。
【０００７】
上記構成のディジタル放送受信装置において、前記出力手段は前記ディスプレイに文字メッセージを表示するように構成されていてもよい。また、前記ディスプレイの一部を用いて受信映像を表示し、余部に前記文字メッセージを表示することとしてもよい。また、発光部を備え、前記出力手段は前記メッセージとして前記発光部を点灯又は明滅させることとしてもよい。
【０００８】
これら構成のディジタル放送受信装置において、番組配列の変更が番組の繰り下げである場合に、繰り下げ時刻を予約時刻としてタイマー予約を行うように構成されていてもよい。また、かかるディジタル放送受信装置は、可搬性のある移動端末として構成されていてもよいし、電話機能部を備える携帯電話として構成されていてもよい。
【発明の効果】
【０００９】
この発明によれば、特別な操作をすることなしに視聴開始と同時に現在選局している放送の番組に変更が生じているのかどうかをユーザに知らせることができるという効果を奏する。
【発明を実施するための最良の形態】
【００１０】
以下、この発明の実施形態を図１及び図２に基づいて説明する。
【００１１】
図１はこの実施形態の画面ズーム方法が適用される移動端末のブロック図であり、図２は移動端末の外観を示した平面図である。
【００１２】
移動端末２は、図２（ａ）（ｂ）に示しているように、例えば携帯電話として構成される。移動端末２には、ＬＣＤパネル２０２及び本体キー２１４が設けられている。なお、図２（ａ）（ｂ）には縦画面状態でＬＣＤパネル２０２の全体を用いずに映像が表示されている状態を示している。
【００１３】
この移動端末２は、図１に示すごとく、地上波ディジタルチューナ２３０による放送受信により得られた符号化映像・音声データ、或いは、スロット２０１に差し込まれたメモリカード３等から読み出した符号化映像・音声データにより、映像を液晶表示パネル２０２上に映し出すとともに、音声をイヤホン２０３から出力するようになっている。なお，この実施形態では符号化映像・音声データはＭＰＥＧ４データであるとする。
【００１４】
メモリカード３から読み出したＭＰＥＧ４データは、ＰＣＭＣＩＡインターフェイス２２０、及びシステムバス２１３を経てＭＰＥＧ４ビデオデコーダ２０４に供給される。また、地上ディジタル放送を受信するチューナ２３０は、この地上ディジタル放送で放送されるＭＰＥＧ４のビットストリームデータを取り出し、ＭＰＥＧ４ビデオデコーダ２０４やオーディオデコーダ（ＭＰＥＧ４−ＡＡＣ）２０６に与える。また、チューナ２３０は受信放送波からＥＩＴ（event information table ）を取り出してＣＰＵ２０９に与える。ＣＰＵ２０９は、ＥＩＴに存在する番組情報（番組名、番組開始時刻、番組継続時間、ジャンル情報等）をＦｌａｓｈＲＯＭ２１８に格納する。
【００１５】
ＭＰＥＧ４ビデオデコーダ２０４は、ＭＰＥＧ４のビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５はＣＰＵ２０９から出力指示された文字等を液晶表示パネル２０２に表示するＯＳＤ（オンスクリーンディスプレイ）処理も行う。また、グラフィックスコントローラ２０５は、放送受信映像の画面サイズを縮小する処理（スケーリング処理）を行うことができ、この画面サイズ変更による画面余部にデータ放送部分やメッセージが表示されるように、サイズ変更画面（動画プレーン）の生成及び静止画プレーンの生成を行う。オーディオデコーダ２０６は、ビットストリーム中の音声符号データを復号して音声データを生成する。ＳＤＲＡＭ２１０は、ＭＰＥＧ４ビデオデコーダ２０４の上記処理において利用される。
【００１６】
ＬＣＤコントローラ２０７は、グラフィックスコントローラ２０５から供給された映像データに基づいてＬＣＤパネル２０２を駆動する。Ｄ／Ａ変換器２０８は、オーディオデコーダ２０６から出力された音声データを受け取ってＤ／Ａ変換を行い、右（Ｒ）音のアナログ信号及び左（Ｌ）音のアナログ信号を生成してイヤホン２０３に与える。
【００１７】
本体キー２１４に対する操作情報は、インターフェイス２１５及びシステムバス２１３を介してＣＰＵ２０９に与えられる。ＣＰＵ２０９は上記操作情報に基づいて必要な処理を実行する。
【００１８】
また、近距離無線ネットワークを可能にするために、通信ブロック２１６及びインターフェイス２１７が設けられている。更に、ＦｌａｓｈＲＯＭ２１８やＳＤＲＡＭ２１９も備える。電池２２１は二次電池であり、図示しない充電器から電力の供給を得てこれを蓄える。携帯電話部２３１は電話や電子メール等に係わる処理を行う。
【００１９】
ＣＰＵ２０９は、無線ネットワークのための処理、受信データに基づく各機能部の制御、ＦｌａｓｈＲＯＭ２１８やＳＤＲＡＭ２１９のリード／ライト制御なども行うようになっている。
【００２０】
次に、ディジタル放送の受信開始時の処理について説明していく。
【００２１】
ＣＰＵ２０９は、例えば、本体キー２１４のなかのＴＶＯＮキーが操作されたときにラストチャンネルの放送受信処理を開始する。また、その後にテンキーが操作されたときには、そのキーに対応したチャンネルの受信に切り替える処理を行う。ＣＰＵ２０９は、受信を開始して得られた最新の番組情報と既にメモリに保持していた当該選局放送の現在時刻にあたる番組情報とに相違が在るかどうかを比較する。この比較により、現在受信番組が時間通りに放送されているのか、それとも繰り上げ又は繰り下げが生じたのかを判断できる。
【００２２】
例えば、現在時刻がＰＭ９：０１であるとし、既にメモリに保持していた当該選局放送の現在時刻にあたる番組情報では、ドラマ○○がＰＭ９：００〜ＰＭ１０：００の間で放送予定であるとする。そして、最新の番組情報によって、ドラマ○○がＰＭ９：３０からの開始に変更されたことを知得する。この場合、ＣＰＵ２０９は、現在放送されている番組は時間通りに放送されているのではなく、予定時間よりも後（すなわち、繰り下げ）となったと判断する。更に、ＣＰＵ２０９は、グラフィックスコントローラ２０５にＯＳＤ処理を行わせ、ＬＣＤパネル２０２の画面余部に、例えば「繰下有り」といった文字メッセージを表示させる（図２（ａ）参照）。また、ＣＰＵ２０９は、元の開始時刻ＰＭ９：００と変更後の開始時刻ＰＭ９：３０の差を算出することで、３０分繰り下げられたことを知得できる。そこで、図２（ｂ）に示すように、「３０分繰下げ」「２１：３０」といったメッセージを加えることとしてもよい。また、図２（ｂ）のようなメッセージ表示は、図２（ａ）の表示段階で所定キーがユーザによって操作されたときに表示することとしてもよい。
【００２３】
ＣＰＵ２０９は、上記メッセージを表示してから所定時間の後、或いは、メッセージ消去を示す操作がユーザによってなされたときに、上記メッセージの表示を止める処理を行ってもよい。また、例えば、このタイミングに合わせて、既にメモリに保持していた番組情報を最新の番組情報に書き換える処理を行ってもよい。
【００２４】
また、上記の例では、ＬＣＤパネル２０２の画面余部に文字メッセージを表示したが、映像画面に重ねて文字メッセージを表示することとしてもよい。また、発光ダイオード（ＬＥＤ）などの発光素子を備え、番組配列に変更が生じたと判断したときに、前記文字メッセージと共に或いは文字メッセージに代えて前記発光素子を点灯又は明滅させるようにしてもよい。
【００２５】
番組配列の変更が番組の繰り下げである場合に、繰り下げ時刻を予約時刻としてタイマー予約を行うこととしてもよい。例えば、前記文字メッセージと共に、「視聴予約」の文字表示と共に「ＹＥＳ」「ＮＯ」のボタンも表示する。一方のボタン上にはカーソルが載せられており、方向キーの操作でカーソルが移動するようにしておく。ユーザが「ＹＥＳ」を選択して決定キーを押下したときには、ＣＰＵ２０９は、放送チャンネル、番組名、放送開始時刻といった情報をメモリに予約リストとして格納する。そして、図示しない時計手段（カレンダー機能）によって現在時刻が放送開始時刻になったかどうかを判断し、現在時刻が放送開始時刻になると、前記放送チャンネルを選局して受信処理を行う。このように、タイマー予約が簡単な操作で行え、繰下時刻まで放送受信の停止を促すことで省電力化が図れることになる。勿論、上記のごとくメッセージと共にボタンを表示するのではなく、予め、メニュー画面上で「番組繰下のときに自動予約する」といった項目について「ＹＥＳ」「ＮＯ」の登録をしておいてもよい。
【００２６】
また、上記の例では、ディジタル放送受信装置が携帯電話として構成された例を示したが、例えば、車載型のディジタル放送受信装置、ＰＤＡ、据置型のディジタル放送受信装置として構成してもよいものである。
【図面の簡単な説明】
【００２７】
【図１】この発明の実施形態の移動端末（ディジタル放送受信装置）の構成を示したブロック図である。
【図２】同図（ａ）（ｂ）はそれぞれは図１の移動端末の外観を示すと共にメッセージ表示態様を示した平面図である。
【符号の説明】
【００２８】
２    移動端末
２０２  ＬＣＤパネル
２０５  グラフィックスコントローラ
２０７  ＬＣＤコントローラ
２０９  ＣＰＵ
【図１】
2005318059.tif 000003
【図２】
2005318059.tif 000004